(57)【特許請求の範囲】
【請求項１】
セレクタ端子と第１の電圧バスとの間に接続され、第１のスイッチと第１の電流源を有する第１の電流制限回路と、前記セレクタ端子と第２の電圧バスとの間に接続され、第２のスイッチと第２の電流源を有する第２の電流制限回路とから構成される集積回路において、
上記集積回路の動作モードの１つはセレクタ端子へ外部接続を持たないときに選択され、前記セレクタ端子の電圧が外部接続により調整された電圧に固定されている時はもう一方の動作モードが選択され、前記第１の電流制限回路は第１の固定電流制限値と第３の固定電流制限値を有し、前記セレクタ端子の電圧に応じて、前記セレクタ端子から出る電流を前記第１または第３の固定電流制限値に制限するように構成され、前記第２の電流制限回路は前記第２の固定電流制限値と第４の固定電流制限値を有し、前記セレクタ端子の電圧に応じて前記セレクタ端子へ入る電流を第２または第４の固定電流制限値に制限するように構成されていることを特徴とする回路。
【請求項２】
前記セレクタ端子に接続された複数の電圧比較器を備えることを特徴とする請求項１に記載の回路。
【請求項３】
前記複数の電圧比較器に接続されたデコーダ回路を更に備えることを特徴とする請求項２に記載の回路。
【請求項４】
前記第１の電流制限回路は、前記第１の電圧バスと前記セレクタ端子との間に接続された前記第１の電流源と第３の電流源を有する第１の可変電流源とを備えることを特徴とする請求項１に記載の回路。
【請求項５】
前記第１のスイッチは、前記セレクタ端子の電圧が第１のしきい値電圧未満の時に導通するように構成され、さらに前記第１のスイッチは、前記セレクタ端子の電圧が第２のしきい値電圧を超える時に導通しないように構成されていることを特徴とする請求項４に記載の回路。
【請求項６】
前記第２の電流制限回路は、前記セレクタ端子と前記第２の電圧バスとの間に接続され、前記第２の電流源と第４の電流源を有する第２の可変電流源を備えることを特徴とする請求項５に記載の回路。
【請求項７】
前記第２のスイッチは、前記セレクタ端子の電圧が第３のしきい値電圧を超える時に導通するように構成され、さらに前記第２のスイッチは、前記セレクタ端子の電圧が第４のしきい値電圧未満の時に導通しないように構成されていることを特徴とする請求項６に記載の回路。
【請求項８】
前記第１の電流制限回路は、前記セレクタ端子の電圧が第５のしきい値電圧未満の時に前記セレクタ端子から出る前記電流を前記第１の固定電流制限値に制限するように構成され、さらに前記第１の電流制限回路は、前記セレクタ端子の電圧が第６のしきい値電圧を超える時に前記セレクタ端子から出る前記電流を前記第３の固定電流制限値に制限するように構成されていることを特徴とする請求項７に記載の回路。
【請求項９】
前記第２の電流制限回路は、前記セレクタ端子の電圧が第７のしきい値電圧を超える時に前記セレクタ端子へ入る前記電流を前記第２の固定電流制限値に制限するように構成されており、前記第２の電流制限回路は、前記セレクタ端子の電圧が第８のしきい値電圧未満の時に前記セレクタ端子へ入る前記電流を前記第４の固定電流制限値に制限するように構成されている請求項８に記載の回路。
【請求項１０】
前記第１のしきい値電圧と前記第２のしきい値電圧は、前記第３のしきい値電圧と前記第４のしきい値電圧より小さいことを特徴とする請求項７に記載の回路。
【請求項１１】
前記第５のしきい値電圧と前記第６のしきい値電圧は、前記第１のしきい値電圧と前記第２のしきい値電圧より小さいことを特徴とする請求項８に記載の回路。
【請求項１２】
前記第７のしきい値電圧と前記第８のしきい値電圧は、前記第３のしきい値電圧と前記第４のしきい値電圧よりも大きいことを特徴とする請求項９に記載の回路。
【請求項１３】
前記第１の電流制限値は前記第２の固定電流制限値よりも小さいことを特徴とする請求項８に記載の回路。
【請求項１４】
前記第３の電流制限値は前記第４の固定電流制限値よりも小さいことを特徴とする請求項９に記載の回路。
【請求項１５】
前記回路は前記集積回路装置内に備えられていることを特徴とする請求項１に記載の回路。
【請求項１６】
前記集積回路装置は電源切換のコントローラであることを特徴とする請求項１５に記載の回路。
【発明の詳細な説明】
【技術分野】
【０００１】
本発明は、一般に集積回路に関し、より詳細には本発明は、電源を切り換えるコントローラである集積回路に関する。
【背景技術】
【０００２】
電子回路の個別部品の代わりに集積回路を使用することにより、電子システムのコストとサイズを低減できることはよく知られている。また、集積回路の使用により、これらのシステムを作動させるのに必要な電力を削減することができる。集積回路を使用することによって利益を得る電子システムの種類は電子式電源である。コスト、サイズ、消費電力などのパラメータは、これらのシステムの用途では特に重要である。一般に、最高の性能は電源切換技術によって達成されるため、電源切換は電子システムの設計者にとって特に関心の的である。
【発明の開示】
【発明が解決しようとする課題】
【０００３】
システム設計者の目標を実現するために、電源切換用の集積回路には、種々の異なる用途で使用できるようにするオプションを有するべきである。この集積回路に必要な個別部品はできる限り少なくなければならず、動作時の消費電力は最低であるべきである。望ましいオプションの例は、単一の集積回路で異なる用途に最適な設計を達成できるように、異なるスイッチング周波数を選択できる機能である。また、コストを最小にするために、集積回路のパッケージの端子もできる限り少なくなければならない。
【課題を解決するための手段】
【０００４】
ノイズに対して低感度の状態で低消費電力を維持しながら、動作モードのオプションを選択するための回路のセレクタ端子を選択可能とする方法と装置が開示される。１つの実施態様では、本発明の教示による回路は、セレクタ端子と第１の電圧バスとの間に接続された第１の電流制限回路を含む。第１の電流制限回路は、セレクタ端子の電圧に応じてセレクタ端子から出る電流の制限を変更するようになっている。また、回路は、セレクタ端子と第２の電圧バスとの間に接続された第２の電流制限回路を含む。第２の電流制限回路は、セレクタ端子の電圧に応じてセレクタ端子へ入る電流の制限を変更するようになっている。本発明の他の特徴と利点は、以下の詳細な説明、図、請求項から明らかになるであろう。
【０００５】
集積回路の動作の複数のオプションモードを選択する方法の実施態様が開示される。本方法は動作モードを選択するためにモードセレクタ端子と接地基準端子との間の電圧を使用する。これにより、端子の無接続に対応する１つの動作モードが可能になる。本方法により、全ての動作モードで所望の選択を維持するための電力を低減しながら、端子の無接続に対応する動作モードをノイズの存在下で堅牢とすることが可能となる。
【発明を実施するための最良の形態】
【０００６】
本発明を添付図に従って限定ではなく例証として詳細に説明する。
以下の説明では、本発明を完全に理解できるように、多くの具体的な詳細が説明されている。しかしながら、本発明を実施するために具体的な詳細は必要ではないことは当業者には明らかであろう。本発明を曖昧にすることを避けるために、実施に関連する既知の方法は詳細に説明されていない。
【０００７】
本明細書全体を通して「１つの実施形態」又は「実施形態」という表現は、実施形態と共に説明される具体的な機能、構造、又は特徴が、本発明の少なくとも１つの実施形態に含まれることを意味する。従って、本発明の種々の箇所に出現する語句「１つの実施形態において」又は「実施形態において」は、必ずしも全てが同一の実施形態をさすものではない。更に、具体的な機能、構造、又は特徴は、１つ又はそれ以上の実施形態を任意の適切な形方法で組み合わせることができる。
【０００８】
本明細書に開示されるように、本発明の教示による回路の動作モードは、セレクタ端子が外部接続を持たないとき、また、集積回路の別の端子とすることができる電圧調整電源に接続されるときに選択される。セレクタ端子が電圧調整電源に接続されないときには、セレクタ端子の電圧は、セレクタ端子におけるノイズ電流を吸収する、切換えられる電流源によりノイズの存在下で境界範囲内に維持される。電流源の大きさは、セレクタ端子の電圧に応じて変化する。電流源の大きさは、接続されていないセレクタ端子の電圧境界より外にある外部電圧にセレクタ端子が接続されるときには大幅に減少し、集積回路によって消費される電力を低減する。
【０００９】
図１は、本発明の実施形態を用いることができる集積回路コントローラを備えた例示的な電源切換の線図である。未調整ＤＣ入力電圧ＶIN１００は、集積回路１１７によって制御されるスイッチングコンバータ１０１によって、調整されたＤＣ出力電圧ＶOUT１０２に変換される。全ての電圧は接地基準１１１に対する電圧である。単極双投電源スイッチＳP１０３の状態は、集積回路１１７からの信号ＰＷＭOUTによって制御される。スイッチＳP１０３は、ライン１０７上のＰＷＭOUTがハイレベルであるときに、インダクタ１０４を入力電圧ＶIN１００に接続する。スイッチＳP１０３は、ライン１０７上の信号ＰＷＭOUTがローレベルであるときに、インダクタ１０４の一端を接地基準１１１に接続する。キャパシタ１０５は、インダクタ１０４のＡＣ電流をフィルタ処理して、負荷１０６にほぼＤＣ電圧に近い電圧を供給する。集積回路コントローラ１１７内ののこぎり波発振器１１４の周波数は、スイッチングレートを決定する。
【００１０】
集積回路１１７の複数の機能端子１１８は集積回路１１７の種々の機能を所望の方法で動作させるために接続される。例えば、機能端子１１８は発振器１１４の周波数を設定することができる。周波数は、機能端子１１８で求められる選択と刺激を実行するために使用される端子の数に応じて任意の数値をとることができる。刺激は、２つの端子間に接続された個別の部品によって決定することができる電圧、電流、又はそれらの均等物の形態をとることができる。複数のレベルの電圧又は電流に接続することによって、単一の端子で複数のオプションを選択することができる。いずれの場合においても、１つの実施形態では、選択方法は個別部品の使用を必要とせず、かつ、選択されたオプションが集積回路の必要最低の消費電力を維持することが望ましい。
【００１１】
集積回路１１７は、スイッチングコンバータ１０１の接地端子ＧＮＤ１０８に対する出力電圧ＶOUT１０２を端子ＶSENSE１０９で感知する。１つの実施形態では、集積回路１１７内のエラー増幅器１１０は、端子ＶSENSE１０９の電圧と集積回路１１７の内部の基準電圧１１６との間の差分を増幅する。比較器１１２は、エラー増幅器１１０のエラー電圧出力１１３を発振器１１４の出力であるのこぎり波電圧ＶF１１５と比較する。エラー電圧１１３がのこぎり波電圧ＶF１１５よりも大きいときには、比較器１１２の出力１０７はハイレベルである。エラー電圧１１３がのこぎり波電圧ＶF１１５よりも小さいときには、比較器１１２の出力１０７はローレベルである。従って、電源スイッチＳP１０３の周期的な切り換えは、集積回路１１７によって出力電圧ＶOUT１０２を調整するように変調される。例えば、２つのトランジスタ、又はトランジスタとダイオードなどの半導体デバイスを使用してスイッチＳP１０３の機能を実装する多くの方法がある。図１のスイッチングコンバータ１０１と集積回路１１７の組み合わせは、電源の切り換えに使用することができる多くの異なる回路の単なる１つの実施例に過ぎない。
【００１２】
図２は、電源供給コントローラ１１７に関連して示される、異なる動作のオプションモードの中から選択するために集積回路コントローラの設計において使用することができる電圧比較の１つの原理を示す。全ての電圧は接地基準端子１０８に対して計測される。モード選択端子２０６が、しきい値電圧２０８に対して２０６の電圧を比較する複数の電圧比較器２０２に接続されている。比較器２０２は、モード選択端子における電圧によってどのモードが選択されたかを表示するための出力２０９を生成するデコーダ回路２０３に接続される。
【００１３】
図２に示された装置では、Ｎ個の複数の電圧比較器２０２がＮ＋１の別個の動作モードを確定することができる。各比較器は、モード選択端子２０６の電圧がしきい値電圧２０８の１つよりも高いか又は低いかを確定することができる。この装置では、Ｎ個のしきい値電圧がＮ＋１個の可能な選択を生成する。デコーダ２０３は、モード選択端子２０６の電圧に対応する動作モードを有効にする。
【００１４】
ユーザは、モード選択端子２０６の電圧を、所望の動作オプションモードに適切な値に設定する。１つの適切な値は０とすることができ、これはモード選択端子２０６を接地基準端子１０８に接続することに相当する。他の適切な値は、この図において内部電圧源２０１からの端子２００における電圧ＶＤＤと内部電圧電源２０５からの端子２０４におけるＶＣＣなどの集積回路の他の機能端子で利用可能な内部的に生成された電圧によるものとすることができる。本明細書で開示される目的において、端子２００の電圧を第１の電圧バスと呼び、接地基準端子１０８を第２の電圧バスと呼ぶ点に留意されたい。また、図２のノード２０７の電圧ＶＸによって示されるように、適切な電圧を外部回路から得ることができる。
【００１５】
モード選択端子２０６を電源のノード又は回路の端子に直接接続することによって全ての電圧を取得するようにしてもよい。動作のオプションモードを選択するために個別部品は必要ではない。また、モード選択端子２０６を使用して選択することができるオプションモードの最大数を取得するために、端子２０６が接続されていない、すなわちオープンである回路状態が所定の動作モードに対応すべきである。従って、モード選択端子２０６が外部に接続されていないときには、電圧は比較器２０２のしきい値の間に境界付けられる必要がある。
【００１６】
図２の装置は、端子２０６が外部接続を持たないときには２０６の電圧は確定されないので、モード選択端子２０６に関して外部接続の無い要件に適合することができないことは明らかである。更に、接続されていないモード選択端子２０６は高インピーダンスのノードであり、その電圧はノイズ電流に強く影響される。電源切換は、モード選択端子２０６にノイズ電流を導入するであろう電界と磁界とを有する。モード選択端子２０６における高インピーダンスの小さなノイズ電流は、意図しないモードを選択する原因となる電圧を生成する。
【００１７】
図３は、選択端子２０６が外部接続を持たないときに２０６の電圧を確定するために使用することができる追加の内部回路３００、３０１を示す。また、この内部回路３００、３０１により、集積回路１１７の消費電力を制限しながら、モード選択端子２０６を使用してオプションモードを選択することができる。更に、回路３００、３０１は、モード選択端子２０６に対する外部接続がないときには、モード選択端子２０６の電圧をノイズの存在下で境界の間に維持しなければならない。
【００１８】
端子の無接続に対応する状態を含む、集積回路の端子により複数の状態を感知する１つの手法は、回路が端子の電流を感知し、該電流が端子に供給されるか、又は端子から受信されるかどうかを確定することを要求する。しかしながら、この手法は、端子に接続された回路の消費電力は削減しない。
【００１９】
図４は、モード選択端子２０６の電圧を直接感知する追加の回路を含む回路３００、３０１の実施形態を示す。図４に示された実施形態は、モード選択端子２０６内外への電流の感知を必要としない。従って、図４に示された実施形態は、モード選択端子２０６が外部接続を持たないときには、該端子２０６の電圧に対して堅牢な制限を加えるが、電力消費を削減する望ましい特性が欠如している。
【００２０】
図４に示された実施形態では、回路３００、３０１は、それぞれトランジスタスイッチ４０１、４０２によって行われる電流制限回路である。本明細書の開示の目的において、スイッチは電流の流れを制御する装置として定義することができる。スイッチは、その刺激に応じてゼロ電流から最大電流までの任意の大きさの電流を利用可能にすることができる。図４に示されるように、トランジスタ４０１、４０２は、そのそれぞれのゲートにそれぞれの内部電圧源４０８、４０９によってそれぞれの電圧ＶG1４１４、ＶG2４１３を保持させる。１つの実施形態では、ＶG1はＶG2以下である。トランジスタ４０１、４０２は、端子２０６の電圧が低電圧境界と高電圧境界の間にある間は導通しない。１つの実施形態では、低電圧境界はＶG1からトランジスタ４０１のゲートしきい値電圧を引いた値であり、高電圧境界はＶG2にトランジスタ４０２のゲートしきい値電圧を加えた値である。２０６の電圧を高電圧境界又は低電圧境界のいずれかに移行させるノイズ電流は、４０１又は４０２のいずれかを導通させる。トランジスタ４０１の電流は、電流源４００である電流制限回路によってＩ1に制限される。トランジスタ４０２の電流は、電流源４０３である電流制限回路によってＩ2に制限される。端子２０６の電圧は、ノイズ電流がそれぞれ電流源４０３の電流制限Ｉ2又は電流源４００の電流制限Ｉ1を超えない限り、高電圧境界より超えず、又は低電圧境界より低下しないであろう。モード選択端子２０６上の電圧は、異なる動作モードを選択するためには、高電圧境界より実質的に高くなるか、又は低電圧境界より実質的に低くなる必要があるので、オープン回路の条件は堅牢である。
【００２１】
１つの実施形態では、トランジスタ４０４、４０７は、モード選択端子２０６の電圧が低電圧境界と高電圧境界との間にあるときに導通する。従って、端子２０６上のオープン回路に対応する動作モードは、両方のトランジスタ４０４、４０７の導通によって設定される。このように、トランジスタ４０４、４０７は電圧比較器のように動作する。トランジスタ４０４で構成される比較器の基準電圧は、ＶＤＤからトランジスタ４０４のゲートしきい値電圧を引いた値である。トランジスタ４０７で構成される比較器の基準電圧は、接地電圧１０８にトランジスタ４０７のゲートしきい値電圧を加えた値である。異なる動作モードを選択するためには、モード選択端子２０６の電圧は、ＶＤＤからトランジスタ４０４のゲートしきい値電圧を引いた値より高くなるか、又は接地電圧にトランジスタ４０７のゲートしきい値電圧を加えた値より低くならなければならない。ノイズ電流により、端子２０６に入るノイズ電流が電流源４０３の電流制限Ｉ2より大きいか、又は端子２０６から出るノイズ電流が電流源４００の電流制限Ｉ1よりも大きい場合にのみ、モード選択端子２０６の電圧が動作モードを変更するのに十分に高くなるか或いは十分に低くなる。高いノイズ耐性はＩ1とＩ2を大きくすることによって実現される。
【００２２】
図４の回路では、電流源４００は単一の一定値Ｉ1を有し、電流源４０３は単一の一定値Ｉ2を有する。Ｉ1とＩ2を大きくする欠点は、別の動作モードが選択されたときに、モード選択端子２０６が大電流Ｉ1又はＩ2を導通させることになる点である。大電流はこれに比例して、電流を供給する内部又は外部電圧源と、電力を消費する電流を受け取る回路とにより大きな電力を必要とする。できる限り少ない電力を消費すると同時に高いノイズ耐性を与えることが望ましい。
【００２３】
図５は、モード選択端子２０６の高いノイズ耐性を維持しながら大電力消費の問題を解決する回路の１つの実施形態を示す。１つの実施形態では、図５の回路はセレクタ回路であり、集積回路装置に組み込むことができる。１つの実施形態では、集積回路装置は、例えば図１に示されるものと同様の電源切換のコントローラとすることができる。図５の回路の実施形態に示されるように、回路３００は、ＶＤＤとして図示の実施形態に示されたセレクタ端子２０６と第１の電圧バスとの間に接続される。同様に、回路３０１は、セレクタ端子２０６と接地基準端子１０８の間に接続される。ＶＤＤ２００と接地端子１０８は、第１と第２の電圧バスとして見ることができる。以下に説明されるように、動作中、回路３００は、セレクタ端子２０６の電圧に応じてセレクタ端子２０６から出る電流の制限を変更するように適合され、回路３０１は、セレクタ端子２０６の電圧に応じて電セレクタ端子２０６に入る電流の制限を変更するように適合される。１つの実施形態では、回路は、セレクタ端子２０６に接続され、回路３００、３０１に接続された複数の電圧比較器２０２を含む。１つの実施形態では、複数の電圧比較器は、例えばデコーダ回路２０３のようなデコーダ回路に接続される。
【００２４】
図５の実施形態は回路３００に可変電流源４００を含み、回路３０１に可変電流源４０３を含むことを示している。図４の電流制限回路４００が単一の値Ｉ1に固定されているのに対して、図５の電流制限回路４００は、２つの実行可能な値、すなわち高い値と低い値とを有する可変電流制限回路である点に留意されたい。同様に、図４の電流制限回路４０３が単一の値Ｉ2に固定されているのに対して、図５の電流制限回路４０３は、２つの実行可能な値、すなわち高い値と低い値を有する可変電流制限回路である点に留意されたい。図５の各電流制限回路４００、４０３において、モード選択端子２０６の電圧が外部接続を持たないときに、高いノイズ耐性を得るために高い値にされる。１つの実施形態では、モード選択端子２０６がノイズ耐性のために高い電流を必要としない堅牢な電圧源に接続されるときに低い値にされる。低い値は、モード選択端子が堅牢な電圧源から接続を解除されたときに、モード選択端子２０６の電圧を、ＶG1とＶG2によって決まる境界の間、及びトランジスタ４０１、４０２のそれぞれのゲートしきい値電圧によって決まる境界の間に戻すのに十分大きいことだけが要求される。
【００２５】
図５の実施形態では、可変電流制限回路４００は、２つの固定された電流源を有する。１つの固定された電流源は大きさがＩL1の電流源５０１である。他の固定された電流源は大きさがＩH1の電流源５００である。電流源５０１の大きさは実質的に電流源５００の大きさより小さい。トランジスタスイッチ５０２は、大きな電流源５００を小さな電流源５０１に追加するかどうかを確定する。
【００２６】
同様に、図５の可変電流制限回路４０３は２つの固定された電流源を含む。１つの固定された電流源は大きさがＩL2の電流源５０３である。他の固定された電流源は大きさがＩH2の電流源５０４である。電流源５０３の大きさは電流源５０４の大きさよりも実質的に小さい。トランジスタスイッチ５０５は大きな電流源５０４を小さな電流源５０３に追加するかどうかを確定する。
【００２７】
１つの実施形態では、図５の可変電流制限回路４００は、モード選択端子２０６の電圧が接地基準を上回るトランジスタ４０７のゲートしきい値電圧より小さいときに、高電流から低電流に切換える。モード選択端子２０６の接地基準に近いこの電圧は別の動作モードを選択する。高い値と低い値の間の切換えは、トランジスタ４０７から構成される電圧比較器の出力４１２に接続されたトランジスタ５０２によって行われる。実際には、モード選択端子２０６の電圧は、例えば接地基準端子１０８のような堅牢な電圧への外部接続によって固定されることになるので、高いノイズ耐性を与える高電流制限はこの条件下では必要ではない。
【００２８】
同様に、図５の実施形態の可変電流制限回路４０３は、モード選択端子２０６の電圧が、端子２００の電圧ＶＤＤからトランジスタ４０４のゲートしきい値電圧を引いた値より大きいときに、高い電流から低い電流に切換える。モード選択端子２０６上のＶＤＤに近いこの電圧は、異なる動作モードを選択する。高い値と低い値の間の電流源の切換えは、トランジスタ４０４から構成された電圧比較器の出力４１１に接続されたトランジスタ５０５によって実行される。実際には、モード選択端子２０６の電圧は例えばＶＤＤ端子２００のような調整電圧に外部接続によって固定されることになるので、ノイズ耐性を与える高電流はこの条件下では必要とされない。
【００２９】
図６は、本発明の別の実施形態を概略的に示し、図５の実施形態にインバータ６０１、６０２、６０３、６０４が追加されている。この実施形態では、インバータ６０１、６０２、６０３、６０４は、それぞれライン５０６、６０６、６０５、５０７の信号が信頼性のある動作のために十分に駆動するよう保証するのに役立つ。図６の実施形態では、トランジスタ４０１のゲート４１４とトランジスタ４０２のゲート４１３は基準電圧６００に接続される。その電圧は１つの実施形態では電源供給電圧ＶＤＤ２００の半分である。図６の実施形態の基準電圧６００に対して電源供給電圧ＶＤＤ２００の半分の値は、モード選択端子２０６が外部接続を持たないときに、ノイズに対して最大の耐性を与える。
【００３０】
前述の詳細な説明では、本発明の方法と装置を特定の実施形態に関連して説明してきた。しかしながら、本発明の広範な精神と範囲から逸脱することなく、種々の修正と変更を行うことができることは明白である。本明細書と図は、従って制限ではなく例証とみなすことができる。
【図面の簡単な説明】
【００３１】
【図１】スイッチングコンバータと集積回路コントローラとを含む電源切換の実施例を示す。
【図２】動作のオプションモードの中から選択するために集積回路の端子の電圧を使用する手法の原理を示す図である。
【図３】動作のオプションモードを選択するために図２に示された手法に対して追加される要素を示す図である。
【図４】図３の機能ブロックの概略図である。
【図５】本発明の教示に従って動作のオプションモードを選択するための方法と装置の１つの実施形態の概略図である。
【図６】本発明の教示に従って動作のオプションモードを選択するための方法と装置の別の実施形態の概略図である。
【符号の説明】
【００３２】
１０８  接地基準端子、２００  ＶＤＤ、２０２  電圧比較器、２０３  デコーダ、２０６  セレクタ端子、３００、３０１  回路、４００、４０３  電流制限回路、４０１、４０２、４０４、４０７  トランジスタ、４１１、４１２  電圧比較器の出力、４１３  ゲート、５００、５０１、５０３、５０４  電流源、５０２、５０５  トランジスタスイッチ
【図１】
0004713896.tif 000002
【図２】
0004713896.tif 000003
【図３】
0004713896.tif 000004
【図４】
0004713896.tif 000005
【図５】
0004713896.tif 000006
【図６】
0004713896.tif 000007